(57)【要約】【課題】面発光をシンプルな構成によって実現可能な発光装置を提供する。【解決手段】発光装置（１５）は、波長が互いに異なるレーザー光を出射するレーザーダイオードを複数備える少なくとも１つのレーザー光源（１５１）と、レーザー光源（１５１）の、前記レーザー光の出射側に配置された回折格子（１５２）とを備え、回折格子（１５２）は、前記レーザー光の少なくとも一部を回折格子（１５２）から所定距離（Ｈ）を離間した平面内において直接合成するよう構成されている。【選択図】図１
2019149258.tif 000002
【特許請求の範囲】
【請求項１】
波長が互いに異なるレーザー光を出射するレーザーダイオードを複数備える少なくとも１つのレーザー光源と、
前記レーザー光源の、前記レーザー光の出射側に配置された回折格子とを備え、
前記回折格子は、前記レーザー光の少なくとも一部を前記回折格子から所定距離を離間した平面内において直接合成するよう構成されている
ことを特徴とする発光装置。
【請求項２】
前記回折格子は、前記レーザー光源に対し、前記レーザー光の出射側に隣接して配置されている
ことを特徴とする請求項１に記載の発光装置。
【請求項３】
前記回折格子は、前記レーザーダイオードを収容するパッケージに形成されている
ことを特徴とする請求項２に記載の発光装置。
【請求項４】
前記複数のレーザーダイオードは、各々のレーザーダイオードの光軸が互いに同じ方向に沿うように配置されている
ことを特徴とする請求項１〜３の何れか１項に記載の発光装置。
【請求項５】
前記レーザー光源が２次元的に複数配置されている
ことを特徴とする請求項１〜４の何れか１項に記載の発光装置。
【請求項６】
前記複数のレーザーダイオードが２次元的に配置され、各々の発光中心が、対応するレーザー光の合成領域を投影した領域内に位置する
ことを特徴とする請求項１〜５の何れか１項に記載の発光装置。
【請求項７】
前記レーザー光源は同波長の前記レーザーダイオードを２つ以上有する
ことを特徴とする１〜６の何れか１項に記載の発光装置。
【請求項８】
前記レーザー光源は少なくとも３種類以上の前記レーザーダイオードを有する
ことを特徴とする１〜７の何れか１項に記載の発光装置。
【請求項９】
前記レーザー光源の少なくとも１つの出力が独立に制御可能である
ことを特徴とする１〜８の何れか１項に記載の発光装置。
【請求項１０】
カラーセンサをさらに有し、
前記カラーセンサによる検出結果に基づき、前記複数のレーザーダイオードの少なくとも何れかの発光を制御する
ことを特徴とする１〜９の何れか１項に記載の発光装置。
【請求項１１】
前記出射側の反対側への反射光を当該出射側へ反射させる反射部材をさらに備える
ことを特徴とする請求項１〜１０の何れか１項に記載の発光装置。
【請求項１２】
請求項１から１１の何れか１項に記載の発光装置を備えているバックライト装置。
【請求項１３】
請求項１２に記載のバックライト装置を備える液晶表示装置。
【発明の詳細な説明】
【技術分野】
【０００１】
本発明は発光装置、バックライト装置及び液晶表示装置に関する。
【背景技術】
【０００２】
これまでにレーザー光源を用いてバックライト装置とする発光装置が種々開発されている。例えば、特許文献１には、三原色（例えば、ＲＧＢ、以下同様）のレーザー光源と、拡大光学系とを有し各々のレーザー光を適切に拡大・ビーム整形して得られたＲＧＢの各画像を重ね合わせて、均一な面光源を得る構成が開示されている。
【０００３】
また、特許文献２には、ＲＧＢのレーザー光源をアクチュエータにより振動させた回折光学素子を用いて導光板へ入光することにより均一性に優れた面光源を得る構成が開示されている。
【先行技術文献】
【特許文献】
【０００４】
【特許文献１】特開２０１７−１３４２５６号公報（２０１７年８月３日公開）
【特許文献２】特開２００９−２３１０１７号公報（２００９年１０月８日公開）
【発明の概要】
【発明が解決しようとする課題】
【０００５】
ところで、特許文献１の構成では、光学系の部品点数が多く、また空間的スペースが必要となるという問題がある。
【０００６】
また、アクチュエータを必要とする特許文献２の構成でも部品点数の増大という問題がある。
【０００７】
本発明の一態様は、上記従来の問題を解決するものであって、面発光をシンプルな構成によって実現可能な発光装置と、この発光装置を備えたバックライト装置、及びこのバックライト装置を備えた液晶表示装置とを提供することを目的とする。
【課題を解決するための手段】
【０００８】
上記の課題を解決するために、本発明の一態様に係る発光装置は、波長が互いに異なるレーザー光を出射するレーザーダイオードを複数備える少なくとも１つのレーザー光源と、前記レーザー光源の、前記レーザー光の出射側に配置された回折格子とを備え、上記回折格子は、前記レーザー光の少なくとも一部を前記回折格子から所定距離を離間した平面内において直接合成するよう構成されている。
【発明の効果】
【０００９】
本発明の一態様によれば、面発光をシンプルな構成によって実現可能な発光装置、この発光装置を備えたバックライト装置、及びこのバックライト装置を備えた液晶表示装置を提供することができる。
【図面の簡単な説明】
【００１０】
【図１】本発明の実施形態１に係る発光装置を概略的に示す図であって、（ａ）は拡散板に設けられている複数の合成領域のうちの１つを正面から見た図であり、（ｂ）は（ａ）のＡ-Ａ線断面図である。
【図２】図１の発光装置を備えた液晶表示装置を概略的に示す分解斜視図である。
【図３】図１の発光装置の配置様態を概略的に示す液晶表示装置の正面図である。
【図４】回折格子の配置位置の一例を示す模式図であり、（ａ）はレーザー光源の上面図であり、（ｂ）はレーザー光源の側面図である。
【図５】液晶表示装置におけるレーザーダイオード及び実装基板の配置態様の一例を示す図であって、（ａ）はレーザーダイオードの配置様態を示す図であり、（ｂ）は（ａ）に示すレーザーダイオードを実装基板に実装した様態を示す図である。
【図６】液晶表示装置におけるレーザーダイオード及び実装基板の配置態様の一変形例を示す図であって、（ａ）はレーザーダイオードの配置様態を示す図であり、（ｂ）は（ａ）に示すレーザーダイオードを実装基板に実装した様態を示す図である。
【図７】液晶表示装置におけるレーザーダイオード及び実装基板の配置態様のさらなる変形例を示す図であって、（ａ）はレーザーダイオードの配置様態を示す図であり、（ｂ）は（ａ）に示すレーザーダイオードを実装基板に実装した様態を示す図である。
【図８】本発明の実施形態２に係る発光装置を概略的に示す図である。
【図９】本発明の実施形態３に係る発光装置を概略的に示す図である。
【図１０】本発明の実施形態４に係る発光装置を概略的に示す図である。
【図１１】比較例に係る発光装置を概略的に示す図である。
【発明を実施するための形態】
【００１１】
〔実施形態１〕
はじめに、本発明の一実施形態に係る発光装置を備えた液晶表示装置について、図２を参照して説明する。
【００１２】
（液晶表示装置の構成）
図２は、本発明の実施形態１に係る発光装置１５を備えた液晶表示装置１を概略的に示す分解斜視図である。
【００１３】
図２に示すように、本実施形態における液晶表示装置１は、液晶パネル１０と、拡散板１５５と、発光装置（バックライト装置）１５を備えている。
【００１４】
液晶パネル１０は、入力された電気信号に基づいて画像を表示する表示パネルである。拡散板１５５は、発光装置１５から発光された光を拡散し、液晶パネル１０に効率よく光を放出するために設けられている。拡散板１５５は、例えばレーザー光の出射方向において後述する合成領域が形成される位置に設けられている。本実施形態において、拡散板１５５の材料は特に限定されず、発光装置１５から発光された光を拡散することができればよい。また、拡散板１５５は光を透過する材料により形成されている。
【００１５】
なお、図示しないが、輝度向上などの観点からは、本実施形態において拡散板１５５以外に輝度向上シート及びマイクロレンズシートやプリズムシートなどのような光学部材を設けてもよく、液晶表示装置１の構成は上記構成に限定されるものではない。
【００１６】
（発光装置の構成）
次に、本実施形態に係る発光装置１５について、図１、図３〜図７を参照して詳細に説明する。
【００１７】
図１は発光装置１５を概略的に示す図であって、（ａ）は拡散板１５５に設けられている複数の合成領域１５３のうちの１つを正面から見た図であり、（ｂ）は（ａ）のＡ-Ａ線断面図である。図１に示すように、発光装置１５は、レーザー光源１５１、回折格子１５２、合成領域（照射領域又は発光領域とも呼ばれる）１５３、および実装基板１５４を備えている。また、図１には拡散板１５５が示されている。
【００１８】
レーザー光源１５１は、例えばピーク波長が４５０ｎｍの青色レーザー光（以下Ｂ光）を出射するレーザーダイオード１５１Ｂ、ピーク波長が５２０ｎｍの緑色レーザー光（以下Ｇ光）を出射するレーザーダイオード１５１Ｇ、及びピーク波長が６３８ｎｍの赤色レーザー光（以下Ｒ光）を出射するレーザーダイオード１５１Ｒを備える。
【００１９】
図１に示すように、３つの回折格子１５２は、レーザー光源１５１の各レーザーダイオード１５１Ｂ、１５１Ｇ、及び１５１Ｒに対応するよう、レーザー光の出射側に配置されている。また、３つの回折格子１５２は、例えば３つの回折光学素子（ＤＯＥとも呼ばれる）として、レーザーダイオード１５１Ｂ、１５１Ｇ、及び１５１Ｒにそれぞれ対応する位置に形成されている。また、回折格子１５２は、例えば前記回折光学素子が有する透明基板（図示せず）の表面上に設けられる。回折格子１５２は、照射してきた光を回折させることができる。
【００２０】
本実施形態において、回折光学素子は、空間距離、配光パターン、レーザー波長又は配置態様などの様々な条件に応じて設計することができる。
【００２１】
上記構成により、回折格子１５２に入射したレーザー光（本実施形態においては例えばＢ光、Ｇ光およびＲ光）は、ビーム整形されたうえで、所定の空間距離（例えば図１の（ｂ）の所定の空間距離Ｈ）離れた面（拡散板１５５）において、任意の発光形状、及び強度分布の状態で直接かつ均一に合成（混色とも呼ばれる）することが可能となる。
【００２２】
より具体的には、図１に示すように、回折格子１５２によりビーム整形されたレーザー光の少なくとも一部は、合成領域１５３において直接合成される。例えば出射されたレーザー光がＢ光、Ｇ光及びＲ光の場合、合成領域１５３において均一な白色光に合成される。
【００２３】
本実施形態において、各レーザーダイオード１５１Ｂ、１５１Ｇ、及び１５１Ｒが実装基板１５４上に実装されているが、本実施形態において、実装方法は特に限定されず、周知の方法を用いてもよい。
【００２４】
また、本実施形態において、各レーザーダイオード１５１Ｂ、１５１Ｇ、及び１５１Ｒの高さ（例えば後述するパッケージ１５１Ｐの高さ）が同じ例を挙げているが、これは本実施形態を限定するものではない。各レーザーダイオードの高さは互いに異なっていてもよい。
【００２５】
以上のように、本実施形態において、発光装置１５は、波長が互いに異なるレーザー光（例えば上述のＢ光、Ｇ光及びＲ光）を出射するレーザーダイオード１５１Ｂ、１５１Ｇ、及び１５１Ｒを複数備えるレーザー光源１５１と、レーザー光源１５１の、レーザー光の出射側（図１の（ｂ）の上側）に配置された回折格子１５２とを備え、回折格子１５２は、レーザー光の少なくとも一部を回折格子１５２から所定距離（例えば距離Ｈ）を離間した平面（合成領域１５３を含む平面）内において直接合成するよう構成されている。
【００２６】
上記構成によれば、面発光をシンプルな構成によって実現可能な発光装置１５を提供することができる。
【００２７】
また、上記実施形態において、回折格子１５２はレーザー光源１５１の、レーザー光の出射側に配置された構成を説明したが、より具体的に、例えばレーザー光源１５１に隣接して回折格子１５２が配置される構成としてもよい。
【００２８】
回折格子１５２の設置位置は上記構成に限定されず、適宜変更することが可能である。図４は回折格子１５２の配置位置の一例を示す模式図であり、（ａ）はレーザー光源１５１の上面図であり、（ｂ）はレーザー光源１５１の側面図である。図４に示す例では、レーザー光源１５１は、レーザダイオード（図４において不図示）と、当該レーザーダイオードを収容するパッケージ１５１Ｐとを備えており、回折格子１５２は、パッケージ１５１Ｐのレーザー出射面であるガラス１５１ＧＬの表面上に直接形成されている。他の例として、レーザーダイオードを樹脂製のパッケージに格納し、当該パッケージの出射面上に回折格子を形成してもよい。
【００２９】
上記構成によれば、発光装置のレーザー光出射方向での寸法低減および回折格子の支持部材の省略にも寄与できるので、発光装置の製造コスト低減にも有利である。
【００３０】
また、図１において、符号１５１Ｂｃ、１５１Ｇｃ、及び１５１Ｒｃはそれぞれレーザーダイオード１５１Ｂ、１５１Ｇ、及び１５１Ｒの光軸を示す。図１に示すように、複数のレーザーダイオード１５１Ｂ、１５１Ｇ、及び１５１Ｒは、各々のレーザーダイオードの光軸１５１Ｂｃ、１５１Ｇｃ、及び１５１Ｒｃが互いに同じ方向、例えばレーザー光出射方向に沿うように配置されている。
【００３１】
上記構成によれば、従来技術と比較すると、構成部材のレイアウト設計が容易となり、発光装置全体がシンプルな構造となる。また、光学部材の個数を減らすことが可能で、省スペース効果も得られる。
【００３２】
（レーザーダイオードの配置例）
次に、本実施形態に係るレーザーダイオードの配置例について、図１などを参照して説明する。図１に示すように、複数のレーザーダイオードが２次元的に配置されている。また各々のレーザーダイオードの発光中心が、それぞれ対応するレーザー光の合成領域１５３を実装基板１５４上に投影した領域１５３ａ内に位置する。
【００３３】
上記構成によれば、発光装置１５を１又は２次元的に複数配置する場合であっても、隣同士の発光装置１５が互いに干渉することがない。このため、複数の発光装置１５を支障なく複数配置することができる。
【００３４】
（レーザー光源変形例１）
以上の説明において、１つのレーザー光源１５１がレーザーダイオード１５１Ｂ、１５１Ｇ、及び１５１Ｒを備える構成を説明した。ただし、本発明はこれに限定されない。例えば、発光装置に高輝度化が要求される状況では、レーザー光源の光量を増大することが好ましい。このような状況に対応するため、本実施形態では、１つのレーザー光源に含まれるレーザーダイオードの数量を増加することが可能である。一例として例えば１つのレーザーダイオード１５１Ｇを追加することが挙げられる。その結果、図示しないが、本変形例１における１つのレーザー光源が１つのレーザーダイオード１５１Ｂ、２つのレーザーダイオード１５１Ｇ、および１つのレーザーダイオード１５１Ｒを備える、いわゆる「ＲＧＧＢ」構成が実現される。換言すれば、レーザー光源１５１が同色のレーザーダイオード（例えばレーザーダイオード１５１Ｇ）を２つ以上有する発光装置が得られる。
【００３５】
上記構成によれば、同色のレーザーダイオードの個数を増加し発熱量を分担させることにより、局所的な発熱の集中を防止し、効率よくレーザーダイオードを使用することができる。
【００３６】
（レーザー光源変形例２）
また、本発明に係る発光装置では、波長が互いに異なる３種類を超えるレーザー光がレーザーダイオードから出射される構成としてもよい。したがって例えばレーザー光源に対してさらに黄色レーザー光（Ｙ光）を出射するレーザーダイオードを設けることで、Ｂ光、Ｇ光、Ｒ光、及びＹ光の４色のレーザー光を有する構成としてもよい。このようにすれば、発光装置から発光される光の輝度と液晶パネルを透過した際の色域を向上させることができる。
【００３７】
また、シアンレーザー光（Ｃ光）を出射するレーザーダイオードを設けることで、Ｂ光、Ｇ光、Ｒ光、及びＣ光の４色のレーザー光を有する構成としてもよい。
【００３８】
また、さらに他の態様におけるレーザー光の組み合わせとして、例えばＢ光、Ｃ光、Ｙ光、およびＲ光の組み合わせや、Ｂ光、Ｃ光、Ｇ光、およびＲ光の組み合わせや、Ｂ光、Ｃ光、Ｇ光、Ｙ光、およびＲ光等の組み合わせが挙げられる。換言すれば、レーザー光源１５１は少なくとも３種類以上の前記レーザーダイオードを有する。
【００３９】
上記構成によれば、発光装置１５から発光される光が液晶パネル１０を透過した際に色域を向上させることができる。
【００４０】
（レーザー光源変形例３）
また、色度バラつき改善、色度ドリフト対策、およびローカルディミング対応などの観点から、本発明に係る発光装置１５は、レーザーダイオード１５１Ｂ、１５１Ｇ、及び１５１Ｒによる発光を個別に制御可能な制御部を備える構成としてもよい。ここで、当該制御部は、レーザーダイオード１５１Ｂ、１５１Ｇ、及び１５１Ｒの１セット毎に設けられてもよいし、複数のセット毎に設けられてもよい。
【００４１】
上記構成によれば、レーザー光源の出力を独立して制御することが可能となる。
【００４２】
（レーザー光源の配置例）
次に、本実施形態に係るレーザー光源の配置例について、図３〜図７を参照して詳細に説明する。図３は、図１の発光装置１５の配置様態を概略的に示す液晶表示装置１の正面図である。
【００４３】
図３に示すように、液晶表示装置１の液晶パネル１０において、複数の発光装置を備えている。また、図３において、符号Ｘは各々の発光装置（照射領域１５３のみを図示する）の横方向の配置ピッチ（横方向ピッチ）を示し、符号Ｙは縦方向の配置ピッチ（縦方向ピッチ）を示している。また、説明の便宜上、各々の発光装置の間隔を拡大して表示しているが、本実施形態には様々なピッチ及びスケールでの配置が含まれる。また、図３に示すように、各々のレーザー光源が均一な配置ピッチで２次元的に配置されている。
【００４４】
上述のように発光装置１５は、それぞれの照射領域において、レーザーダイオード１５１Ｂ、１５１Ｇ、１５１Ｒ、及び、それらに対応する３つの回折格子１５２というシンプルな構成であるので、各照射領域を、１つのレーザー光源１５１のサイズ（又は後述するパッケージ１５１Ｐのサイズ）まで小さくすることが可能である。したがって、例えば、分割エリア数が１０００を超えるような、超多重分割も可能となる。
【００４５】
（配置例１）
具体的には、図５は、液晶表示装置１におけるレーザーダイオード及び実装基板１５４の配置態様の一例を示す図であって、（ａ）はレーザーダイオードの配置様態を示す図であり、（ｂ）は（ａ）に示すレーザーダイオードを実装基板１５４に実装した様態を示す図である。
【００４６】
図５の（ａ）に示すように、１つの発光装置１５は１直線状に並べられた３つのレーザーダイオードを備え、また図５の（ｂ）に示すように、３つの発光装置１５は１直線状に並べられて実装基板１５４に実装されている。図５の（ｂ）には、さらに上記構成を並列するような配列構成が例示されている。
【００４７】
上記構成によれば、搭載される実装基板１５４の幅Ｗを狭くすることができるため、実装基板のコストダウンが図れる。
【００４８】
（配置例２）
また、図６は、液晶表示装置１ａにおけるレーザーダイオード及び実装基板１５４の配置態様の一変形例を示す図であって、（ａ）はレーザーダイオードの配置様態を示す図であり、（ｂ）は（ａ）に示すレーザーダイオードを実装基板１５４に実装した様態を示す図である。
【００４９】
図６の（ａ）に示すように、１つの発光装置１５ａは正三角形状に配置された３つのレーザーダイオードを備え、また図６の（ｂ）に示すように、３つの発光装置１５ａにおけるレーザーダイオード１５１Ｒは１直線状に並べられて実装基板１５４ａに実装され、３つの発光装置１５ａにおけるレーザーダイオード１５１Ｇおよびレーザーダイオード１５１Ｂは交互に１直線状に並べられて実装基板１５４ｂに実装されている。図６の（ｂ）には、さらに上記構成を並列するような配列構成が例示されている。
【００５０】
上記構成によれば、レーザーダイオードの発熱による熱密度を意図的に変更することができる。例えば相対的に温度特性の悪いレーザーダイオードＲを図６に示す実装基板１５４ａに配置することで、周囲からの熱影響を受けにくくすることが可能である。また、レーザーダイオードの組合せを図示のように２枚の実装基板に分割することにより、放熱特性の改善を図ることができる。また、実装基板１５４ａ、１５４ｂが異なる材料を用いることができるため、発光装置１５ａの放熱特性を好適に調整することができる。
【００５１】
上記配置例１と比較すると、上記構成によれば、各レーザーダイオードの物理的な距離を大きくすることができるため局所的な熱密度を下げることができる。
【００５２】
（配置例３）
図７は、液晶表示装置１ｂにおけるレーザーダイオード及び実装基板１５４ｃの配置態様のさらなる変形例を示す図であって、（ａ）はレーザーダイオードの配置様態を示す図であり、（ｂ）は（ａ）に示すレーザーダイオードを実装基板１５４ｃに実装した様態を示す図である。
【００５３】
図６の（ａ）に示す構成と比較すると、図７の（ａ）の構成はレーザーダイオード１５１Ｂおよびレーザーダイオード１５１Ｒの配置位置が異なる。その他の構成が同様であるためその説明を省略する。図７の（ｂ）に示すように、３つの発光装置１５ｂは横方向への配置を１８０°回転させて千鳥状に配置されて実装基板１５４ｃに実装されている。図７の（ｂ）には、さらに上記構成を並列するような配列構成が例示されている。
【００５４】
上記配置例２と比較すると、上記構成によれば、熱密度をさらに平均化することができるため、局所的な熱の発生にならないようにバランスをとることができる。
【００５５】
また、本配置例では図７の（ａ）に示す構成を説明したが、これに限定されず、例えば図６の（ａ）に示したような、レーザーダイオード１５１Ｂとレーザーダイオード１５１Ｒとが入れ替わった構成にも適用することができる。
【００５６】
〔実施形態２〕
本発明の発光装置の他の一実施形態について、以下に説明する。なお、説明の便宜上、上記実施形態にて説明した部材と同じ機能を有する部材については、同じ符号を付記し、その説明を繰り返さない。
【００５７】
次に、本実施形態に係る発光装置について、図８を参照して詳細に説明する。図８は、本実施形態に係る発光装置１５ｃを概略的に示す図である。
【００５８】
図８に示すように、本実施形態において、発光装置１５ｃがカラーセンサ１５６を備える以外実施形態１と同様であるため、以下カラーセンサ１５６を重点的に説明する。
【００５９】
発光装置１５ｃは図示しない制御部をさらに有する。カラーセンサ１５６は、例えば拡散板１５５によって反射するレーザー光の一部を受光する。また、前記制御部は、受光されたレーザー光を所定の色となるように個々のレーザーダイオードを独立制御する。換言すれば、発光装置１５ｃは、カラーセンサ１５６を有し、カラーセンサ１５６による検出結果に基づいて、複数のレーザーダイオードの少なくとも何れかの発光を制御する。ここで、発光を制御する制御部は、各照射領域毎にも設けられてもよいし、複数の照射領域毎に設けられてもよい。また、カラーセンサ１５６は、例えば、フォトダイオードとカラーフィルターなどを用いて構成することができるが、レーザー光源１５１内部にフォトダイオードを配置するなどのその他の構成であってもよい。
【００６０】
上記構成によれば、各レーザー光源から出射される光量を制御することにより発光装置の輝度及び色度を制御可能な構成となる。
【００６１】
〔実施形態３〕
次に、本実施形態に係る発光装置について、図９を参照して詳細に説明する。図９は、本実施形態に係る発光装置１５ｄを概略的に示す図である。
【００６２】
図９に示すように、本実施形態では、一体化した回折格子１５２ａを発光装置１５ｄが備えている。それ以外の点は実施形態１と同様であるため、以下回折格子１５２ａを重点的に説明する。
【００６３】
本実施形態において、各レーザーダイオードに対応するよう例えば一体化した回折格子１５２ａを設けている。
【００６４】
上記構成によれば、実施形態１と同様な効果を奏することができる。また、回折格子１５２ａを一体化することにより、その支持部材の簡素化にも寄与でき、発光装置の製造コスト低減にも有利である。
【００６５】
〔実施形態４〕
次に、本実施形態に係る発光装置について、図１０を参照して詳細に説明する。図１０は、本実施形態に係る発光装置１５ｅを概略的に示す図である。
【００６６】
図１０に示すように、本実施形態において、発光装置１５ｅが反射シート１５７をさらに備えた以外実施形態１と同様であるため、以下反射シート１５７を重点的に説明する。
【００６７】
図１０に示すように、反射シート１５７は例えば実装基板１５４の、レーザーダイオード１５１が配置されていない領域に設けられている。反射シート１５７の材質については特に限定しないが、実装基板１５４側への反射光を照射側へ反射することができればよい。
【００６８】
上記構成によれば、実施形態１と同様な効果を奏することができる。また、反射シート１５７を設けたことにより、発光装置の発光効率をさらに向上させることができる。
【００６９】
なお、反射シートを設けるという本実施形態の構成は、上述した実施形態１〜３に対しても当然に適用することができる。
【００７０】
（比較例）
図１１は、比較例に係る発光装置１００を概略的に示す図である。図１１に示すように、発光装置１００は光源１１（１１Ｂ、１１Ｇ、および１１Ｒ）、合成光学系２１、投射光学系２２、およびスクリーン２３などから構成されている。合成光学系２１はその周囲に配置された各光源１１から出射される光を合成する。
【００７１】
本比較例の構成と本発明の構成とを比較すると、本発明の上記各実施形態における発光装置の構成部材が少ないため、シンプルな構成を備える発光装置を提供することができるという利点がある。
【００７２】
〔まとめ〕
本発明の態様１に係る発光装置（１５）は、波長が互いに異なるレーザー光を出射するレーザーダイオードを複数備える少なくとも１つのレーザー光源（１５１）と、レーザー光源（１５１）の、前記レーザー光の出射側に配置された回折格子（１５２）とを備え、回折格子（１５２）は、前記レーザー光の少なくとも一部を回折格子（１５２）から所定距離（Ｈ）を離間した平面（合成領域１５３を含む平面）内において直接合成するよう構成されている。
【００７３】
上記構成によれば、面発光をシンプルな構成によって実現可能な発光装置（１５）を提供することができる。
【００７４】
本発明の態様２に係る発光装置（１５）は、上記態様１において、回折格子（１５２）は、レーザー光源（１５１）に対し、前記レーザー光の出射側に隣接して配置されていてもよい。
【００７５】
本発明の態様３に係る発光装置（１５）は、上記態様２において、回折格子（１５２）は、前記レーザーダイオードを収容するパッケージ（１５１Ｐ）に形成されていてもよい。
【００７６】
上記態様２および３の構成によれば、発光装置のレーザー光出射方向での寸法低減および回折格子の支持部材の省略にも寄与できるので、発光装置の製造コスト低減にも有利である。
【００７７】
本発明の態様４に係る発光装置（１５）は、上記態様１〜３の何れか１態様において、複数のレーザーダイオードは、各々のレーザーダイオードの光軸が互いに同じ方向に沿うように配置されていてもよい。
【００７８】
上記構成によれば、従来技術と比較すると、構成部材のレイアウト設計が容易となり、発光装置全体がシンプルな構造となる。また、光学部材の個数を減らすことが可能で、省スペース効果も得られる。
【００７９】
本発明の態様５に係る発光装置（１５）は、上記態様１〜４の何れか１態様において、レーザー光源（１５１）が２次元的に複数配置されていてもよい。
【００８０】
上記構成によれば、各照射領域を、１つのレーザー光源（１５１）のサイズまで小さくすることが可能である。したがって、例えば、分割エリア数が１０００を超えるような、超多重分割も可能となる。
【００８１】
本発明の態様６に係る発光装置（１５）は、上記態様１〜５の何れか１態様において、複数のレーザーダイオードが２次元的に配置され、各々の発光中心が、対応するレーザー光の合成領域（１５３）を投影した領域内に位置することが望ましい。
【００８２】
上記構成によれば、発光装置を１又は２次元的に複数配置する場合であっても、隣同士の発光装置が互いに干渉することがない。このため、複数の発光装置を支障なく複数配置することができる。
【００８３】
本発明の態様７に係る発光装置（１５）は、上記態様１〜６の何れか１態様において、レーザー光源（１５１）は同波長のレーザーダイオードを２つ以上有していてもよい。
【００８４】
上記構成によれば、同波長のレーザーダイオードの個数を増加し発熱量を分担させることにより、局所的な発熱の集中を防止し、効率よくレーザーダイオードを使用することができる。
【００８５】
本発明の態様８に係る発光装置（１５）は、上記態様１〜７の何れか１項において、レーザー光源（１５１）は少なくとも３種類以上のレーザーダイオードを有していてもよい。
【００８６】
上記構成によれば、発光装置（１５）から発光される光が液晶パネル（１０）を透過した際に色域を向上させることができる。
【００８７】
本発明の態様９に係る発光装置（１５）は、上記態様１〜８の何れか１態様において、レーザー光源（１５１）の少なくとも１つの出力が独立に制御可能であってもよい。
【００８８】
上記構成によれば、少なくともレーザー光源の出力を独立して制御することが可能となる。
【００８９】
本発明の態様１０に係る発光装置（１５）は、上記態様１〜９の何れか１態様において、カラーセンサ（１５６）をさらに有し、カラーセンサ（１５６）による検出結果に基づいて、複数のレーザーダイオードの少なくとも何れかの発光を制御していてもよい。
【００９０】
上記構成によれば、各レーザー光源から出射される光量を制御することにより発光装置の輝度及び色度を制御可能な構成となる。
【００９１】
本発明の態様１１に係る発光装置（１５）は、上記態様１〜１０の何れか１態様おいて、出射側の反対側への反射光を当該出射側へ反射させる反射部材（１５７）をさらに備えていてもよい。
【００９２】
上記構成によれば、態様１と同様な効果を奏することができる以外、反射部材（１５７）を設けたことにより、発光装置の発光効率をさらに向上させることができる。
【００９３】
本発明の態様１２に係るバックライト装置は、上記態様１〜１１の何れか１項に記載の発光装置を備えている。
【００９４】
上記構成によれば、態様１と同様な効果を奏することができる。
【００９５】
本発明の態様１３に係る液晶表示装置は、上記態様１２に記載のバックライト装置を備える。
【００９６】
上記構成によれば、態様１と同様な効果を奏することができる。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９８】
１                                    液晶表示装置
１０                                  液晶パネル
１５，１５ａ〜１５ｅ                  発光装置
１５１                                レーザー光源
１５１Ｂ，１５１Ｇ，１５１Ｒ          レーザーダイオード
１５１Ｂｃ，１５１Ｇｃ、１５１Ｒｃ    レーザーダイオードの光軸
１５２，１５２ａ                      回折格子
１５３                                合成領域（照射領域，発光領域）
１５４，１５４ａ〜１５４ｃ                      実装基板
１５５                                拡散板
１５６                                カラーセンサ
１５７                                反射部材（反射シート）
【図１】
2019149258.tif 000003
【図２】
2019149258.tif 000004
【図３】
2019149258.tif 000005
【図４】
2019149258.tif 000006
【図５】
2019149258.tif 000007
【図６】
2019149258.tif 000008
【図７】
2019149258.tif 000009
【図８】
2019149258.tif 000010
【図９】
2019149258.tif 000011
【図１０】
2019149258.tif 000012
【図１１】
2019149258.tif 000013